(57)【特許請求の範囲】
【請求項１】
端末デバイスがネットワークデバイスに第１制御シグナリングを送信することと、
前記端末デバイスが前記ネットワークデバイスにより送信された第２制御シグナリングを受信することと、
前記端末デバイスが第１上りデータに割り当てる上りリソースにおいて第１上りデータを伝送することと、
前記端末デバイスは、キャッシュされた第２上りデータがある場合、予備上りリソースにおいて前記ネットワークデバイスに前記第２上りデータを送信することとを含み、
前記第１制御シグナリングは、前記ネットワークデバイスがキャッシュされた第１上りデータに上りリソースを割り当て、前記端末デバイスに予備上りリソースを割り当てるように指示し、
前記第２制御シグナリングは、前記第１上りデータに割り当てる上りリソース及び前記予備上りリソースを示し、
前記第２上りデータが前記第１上りデータの以外の上りデータである
ことを特徴とするデータ伝送方法。
【請求項２】
前記第２上りデータは、前記端末デバイスが前記ネットワークデバイスに前記第１制御シグナリングを送信した後にキャッシュした上りデータであり、又は、前記端末デバイスが前記ネットワークデバイスに前記第１制御シグナリングを送信する前にキャッシュした上りデータである
ことを特徴とする請求項１に記載のデータ伝送方法。
【請求項３】
前記第１制御シグナリングは、第１情報及び第２情報を含み、前記第１情報は、前記ネットワークデバイスが前記第１上りデータに上りリソースを割り当てるように指示し、前記第２情報は、前記ネットワークデバイスが前記端末デバイスに前記予備上りリソースを割り当てるように指示する
ことを特徴とする請求項１又は２に記載のデータ伝送方法。
【請求項４】
前記第１制御シグナリングは、第１情報を含み、前記第１情報は、前記ネットワークデバイスが前記第１上りデータに上りリソースを割り当てるように指示し、前記第１制御シグナリングの伝送フォーマットは、前記ネットワークデバイスが前記端末デバイスに前記予備上りリソースを割り当てるように指示する
ことを特徴とする請求項１又は２に記載のデータ伝送方法。
【請求項５】
前記第１制御シグナリングは、スケジューリング要求ＳＲ又はバッファー状態レポートＢＳＲである
ことを特徴とする請求項１〜４のいずれか１項に記載のデータ伝送方法。
【請求項６】
前記第１制御シグナリングは、前記端末デバイスの所望の前記予備上りリソースの大きさ情報を含む
ことを特徴とする請求項１〜５のいずれか１項に記載のデータ伝送方法。
【請求項７】
前記方法は、さらに、
前記端末デバイスが、前記第１上りデータの以外の上りデータをキャッシュしない場合、前記ネットワークデバイスに第３情報を送信することを含み、前記第３情報は、前記予備上りリソースにおいて上りデータを伝送しないことを前記ネットワークデバイスに指示する
ことを特徴とする請求項１〜６のいずれか１項に記載のデータ伝送方法。
【請求項８】
ネットワークデバイスが端末デバイスにより送信された第１制御シグナリングを受信することと、
前記ネットワークデバイスが前記端末デバイスに第２制御シグナリングを送信することと、
前記ネットワークデバイスが第１上りデータに割り当てる上りリソースにおいて第１上りデータを受信することとを含み、
前記第１制御シグナリングは、前記ネットワークデバイスがキャッシュされた第１上りデータに上りリソースを割り当て、前記端末デバイスに予備上りリソースを割り当てるように指示し、
前記第２制御シグナリングは、前記第１上りデータに割り当てる上りリソース及び前記予備上りリソースを示す
ことを特徴とするデータ伝送方法。
【請求項９】
前記第１制御シグナリングは、第１情報及び第２情報を含み、前記第１情報は、前記ネットワークデバイスが前記第１上りデータに上りリソースを割り当てるように指示し、前記第２情報は、前記ネットワークデバイスが前記端末デバイスに前記予備上りリソースを割り当てるように指示し、
前記方法は、さらに、
前記ネットワークデバイスが前記第１情報に基づいて、前記第１上りデータに上りリソースを割り当てると確定することと、
前記ネットワークデバイスが前記第２情報に基づいて、前記端末デバイスに前記予備上りリソースを割り当てると確定することとを含む
ことを特徴とする請求項８に記載のデータ伝送方法。
【請求項１０】
前記第１制御シグナリングは、第１情報を含み、前記第１情報は、前記ネットワークデバイスが前記第１上りデータに上りリソースを割り当てるように指示し、
前記方法は、さらに、
前記ネットワークデバイスが前記第１情報に基づいて、前記第１上りデータに上りリソースを割り当てると確定することと、
前記ネットワークデバイスが前記第１制御シグナリングの伝送フォーマットに基づいて、前記端末デバイスに前記予備上りリソースを割り当てると確定することとを含む
ことを特徴とする請求項８に記載のデータ伝送方法。
【請求項１１】
前記第１制御シグナリングは、スケジューリング要求ＳＲ又はバッファー状態レポートＢＳＲである
ことを特徴とする請求項８〜１０のいずれか１項に記載のデータ伝送方法。
【請求項１２】
前記方法は、さらに、
前記ネットワークデバイスが前記予備上りリソースにおいて前記端末デバイスが上りデータを伝送するかどうかを監視することと、
上りデータの伝送を検出した場合、前記ネットワークデバイスが前記予備上りリソースにおいて第２上りデータを受信することとを含み、前記第２上りデータが前記第１上りデータの以外の上りデータである
ことを特徴とする請求項８〜１１のいずれか１項に記載のデータ伝送方法。
【請求項１３】
前記方法は、さらに、
前記ネットワークデバイスが前記端末デバイスにより送信された第３情報を受信することを含み、前記第３情報は、前記予備上りリソースにおいて上りデータを伝送しないことを示す
ことを特徴とする請求項８〜１１のいずれか１項に記載のデータ伝送方法。
【請求項１４】
処理モジュール及び通信モジュールを含む端末デバイスであって、
前記処理モジュールと前記通信モジュールは、請求項１〜７のいずれか１項に記載のデータ伝送方法を実行するように構成される
ことを特徴とする端末デバイス。
【請求項１５】
処理モジュール及び通信モジュールを含むネットワークデバイスであって、
前記処理モジュールと前記通信モジュールは、請求項８〜１３のいずれか１項に記載のデータ伝送方法を実行するように構成される
ことを特徴とするネットワークデバイス。
【発明の詳細な説明】
【技術分野】
【０００１】
本願の実施例は、通信分野に関し、具体的に、データ伝送方法、端末デバイス及びネットワークデバイスに関する。
【背景技術】
【０００２】
長期進化(ＬＴＥ：Ｌｏｎｇ  Ｔｅｒｍ  Ｅｖｏｌｕｔｉｏｎ)システムにおいて多くのデータチャネルは、スケジューリングに基づくデータ伝送方式を採用している。端末デバイスがネットワークデバイスにリソースを要求してから新しい上りデータが発生し又は端末デバイスの報告したデータ量が伝送するものである場合、報告しないデータがリアルタイムに伝送されない可能性があり、このデータの伝送遅延を増大させ、システムの伝送性能を低下させる。
【発明の概要】
【０００３】
これに対し、本願の実施例は、システムの伝送性能を向上させることができるデータ伝送方法、端末デバイス及びネットワークデバイスを提供する。
【０００４】
第１形態は、データ伝送方法を提供し、当該方法は、端末デバイスがネットワークデバイスに第１制御シグナリングを送信することと、前記端末デバイスが前記ネットワークデバイスにより送信された第２制御シグナリングを受信することと、前記端末デバイスが第１上りデータに割り当てる上りリソースにおいて前記第１上りデータを伝送することと、前記端末デバイスは、キャッシュされた第２上りデータがあり場合、前記予備上りリソースにおいて前記ネットワークデバイスに前記第２上りデータを送信することとを含み、前記第１制御シグナリングは、前記ネットワークデバイスがキャッシュされた第１上りデータに上りリソースを割り当て、前記端末デバイスに予備上りリソースを割り当てるように示し、前記第２制御シグナリングは、前記第１上りデータに割り当てる上りリソース及び前記予備上りリソースを示し、前記第２上りデータが前記第１上りデータの以外の上りデータである。
【０００５】
端末デバイスに特別の上りリソースを割り当てることで、端末デバイスにキャッシュされ送信されないデータをリアルタイムに伝送して、システムの伝送性能を向上させる。
【０００６】
端末デバイスは、第１制御シグナリングにおいて特別の情報を利用して予備上りリソースの要否を示す必要がなく、つまり、ネットワークデバイスは、端末デバイスからの第１制御シグナリングに上りリソースの要求がある場合、端末デバイスに予備上りリソースを自発に割り当て、端末デバイスがネットワークデバイスに予備リソースを要求する情報を別に送信しても良く、つまり、必ずキャッシュデータがある場合に予備リソースを要求することではなく、予備リソースを先に要求し、次に、キャッシュされたデータがあるかどうかを確認し、データがある場合、予備リソースを利用して伝送する。
【０００７】
実現可能な方式において、前記第２上りデータは、前記端末デバイスが前記ネットワークデバイスに前記第１制御シグナリングを送信した後にキャッシュした上りデータであり、又は、前記端末デバイスが前記ネットワークデバイスに前記第１制御シグナリングを送信する前にキャッシュした上りデータである。
【０００８】
実現可能な方式において、前記第１制御シグナリングは、第１情報及び第２情報を含み、前記第１情報は、前記ネットワークデバイスが前記第１上りデータに上りリソースを割り当てるように指示し、前記第２情報は、前記ネットワークデバイスが前記端末デバイスに前記予備上りリソースを割り当てるように指示する。
【０００９】
実現可能な方式において、前記第１制御シグナリングは、第１情報を含み、前記第１情報は、前記ネットワークデバイスが前記第１上りデータに上りリソースを割り当てるように指示し、前記第１制御シグナリングの伝送フォーマットは、前記ネットワークデバイスが前記端末デバイスに前記予備上りリソースを割り当てるように指示する。
【００１０】
伝送フォーマットは、第１制御シグナリングのビット数、又は第１制御シグナリングに含まれる内容等であっても良い。
【００１１】
実現可能な方式において、当該第１制御シグナリングは、スケジューリング要求(ＳＲ：ｓｃｈｅｄｕｌｉｎｇ  ｒｅｑｕｅｓｔ)又はバッファー状態レポート(ＢＳＲ：ｂｕｆｆｅｒ  ｓｔａｔｕｓ  ｒｅｐｏｒｔ)であっても良い。当該ＳＲは、複数のビットを含み、あるビットを利用してネットワークデバイスに予備上りデータの要求を通知する。
【００１２】
実現可能な方式において、前記第１制御シグナリングは、前記端末デバイスの所望の前記予備リソースの大きさ情報を含む。
【００１３】
選択可能で、予備リソースの位置が端末デバイスにより提案されたものであり、ネットワークデバイスが端末デバイスの要求された大きさ及び／又は位置に応じて端末デバイスに当該予備リソースを割り当てる。また、ネットワークデバイスが端末デバイスの要求された大きさ及び／又は位置を考えなく端末デバイスに割り当てる予備リソースを自分に決定しても良い。
【００１４】
実現可能な方式において、前記方法は、さらに、前記端末デバイスが、前記第１上りデータの以外の上りデータをキャッシュしない場合、前記ネットワークデバイスに第３情報を送信することを含み、前記第３情報は、前記予備上りリソースにおいて上りデータを伝送しないことを前記ネットワークデバイスに指示する。
【００１５】
選択可能で、端末デバイスがネットワークデバイスに第３情報を送信しなく、ネットワークデバイスが予備リソースにおいて上りデータ伝送を監視し、データ伝送がある場合に受信を行い、データ伝送がない場合に受信しなくても良い。
【００１６】
実現可能な方式において、前記第３情報は、メディアアクセス制御(ＭＡＣ：Ｍｅｄｉｕｍ  Ａｃｃｅｓｓ  Ｃｏｎｔｒｏｌ)層シグナリング又は物理層シグナリングに搬送される。
【００１７】
選択可能で、当該第３情報は、データチャネルでネットワークデバイスにＭＡＣシグナリングを送信し、又は、物理制御チャネルでネットワークデバイスに物理層シグナリングを送信しても良い。
【００１８】
第２形態は、データ伝送方法を提供し、当該方法は、ネットワークデバイスが端末デバイスにより送信された第１制御シグナリングを受信することと、前記ネットワークデバイスが前記端末デバイスに第２制御シグナリングを送信することと、前記ネットワークデバイスが前記第１上りデータに割り当てる上りリソースにおいて前記第１上りデータを受信することとを含み、前記第１制御シグナリングは、前記ネットワークデバイスがキャッシュされた第１上りデータに上りリソースを割り当て、前記端末デバイスに予備上りリソースを割り当てるように示し、前記第２制御シグナリングは、前記第１上りデータに割り当てる上りリソース及び前記予備上りリソースを示す。
【００１９】
実現可能な方式において、前記第１制御シグナリングは、第１情報及び第２情報を含み、前記第１情報は、前記ネットワークデバイスが前記第１上りデータに上りリソースを割り当てるように指示し、前記第２情報は、前記ネットワークデバイスが前記端末デバイスに前記予備上りリソースを割り当てるように指示し、前記方法は、さらに、前記ネットワークデバイスが前記第１情報に基づいて、前記第１上りデータに上りリソースを割り当てると確定することと、前記ネットワークデバイスが前記第２情報に基づいて、前記端末デバイスに前記予備上りリソースを割り当てると確定することとを含む。
【００２０】
実現可能な方式において、前記第１制御シグナリングは、第１情報を含み、前記第１情報は、前記ネットワークデバイスが前記第１上りデータに上りリソースを割り当てるように指示し、前記方法は、さらに、前記ネットワークデバイスが前記第１情報に基づいて、前記第１上りデータに上りリソースを割り当てると確定することと、前記ネットワークデバイスが前記第１制御シグナリングの伝送フォーマットに基づいて、前記端末デバイスに前記予備上りリソースを割り当てると確定することとを含む。
【００２１】
実現可能な方式において、前記第１制御シグナリングは、スケジューリング要求ＳＲ又はバッファー状態レポートＢＳＲである。
【００２２】
実現可能な方式において、前記方法は、さらに、前記ネットワークデバイスが前記端末デバイスに前記予備上りリソースを割り当てることを含む。
【００２３】
実現可能な方式において、前記第１制御シグナリングが前記端末デバイスの所望の前記予備リソースの大きさ情報を含み、前記ネットワークデバイスが前記端末デバイスに前記予備上りリソースを割り当てることは、前記ネットワークデバイスが前記大きさ情報に基づいて、前記端末デバイスに前記予備上りリソースを割り当てることを含む。
【００２４】
実現可能な方式において、前記方法は、さらに、前記ネットワークデバイスが前記予備上りリソースにおいて前記端末デバイスが上りデータを伝送するかどうかを監視することと、上りデータの伝送を検出した場合、前記ネットワークデバイスが前記予備上りリソースにおいて第２上りデータを受信することとを含み、前記第２上りデータが前記第１上りデータの以外の上りデータである。
【００２５】
実現可能な方式において、前記第２上りデータは、前記端末デバイスが前記ネットワークデバイスに前記第１制御シグナリングを送信した後にキャッシュした上りデータであり、又は、前記端末デバイスが前記ネットワークデバイスに前記第１制御シグナリングを送信する前にキャッシュした上りデータである。
【００２６】
実現可能な方式において、前記方法は、さらに、前記ネットワークデバイスが前記端末デバイスにより送信された第３情報を受信することを含み、前記第３情報は、前記予備上りリソースにおいて上りデータを伝送しないことを示す。
【００２７】
実現可能な方式において、前記第３情報は、メディアアクセス制御ＭＡＣ層シグナリング又は物理層シグナリングに搬送される。
【００２８】
第３形態は、上記の第１形態又は第１形態の実現可能な方式の方法を実行するための端末デバイスを提供する。具体的に、当該端末デバイスは、上記の第１形態又は第１形態の実現可能な方式の方法を実行するためのユニットを含む。
【００２９】
第４形態は、上記の第２形態又は第２形態の実現可能な方式の方法を実行するためのネットワークデバイスを提供する。具体的に、当該ネットワークデバイスは、上記の第２形態又は第２形態の実現可能な方式の方法を実行するためのユニットを含む。
【００３０】
第５形態は、メモリ、プロセッサ、入力インタフェース及び出力インタフェースを含む端末デバイスを提供する。ここで、メモリ、プロセッサ、入力インタフェース及び出力インタフェースは、バスシステムで接続される。当該メモリは命令を記憶し、当該プロセッサは、当該メモリに記憶された命令を実行して、上記の第１形態又は第１形態の実現可能な方式の方法を実行する。
【００３１】
第６形態は、メモリ、プロセッサ、入力インタフェース及び出力インタフェースを含むネットワークデバイスを提供する。ここで、メモリ、プロセッサ、入力インタフェース及び出力インタフェースは、バスシステムで接続される。当該メモリは命令を記憶し、当該プロセッサは、当該メモリに記憶された命令を実行して、上記の第２形態又は第２形態の実現可能な方式の方法を実行する。
【００３２】
第７形態は、上記の第１形態又は第１形態の実現可能な方式の方法、又は上記の第２形態又は第２形態の実現可能な方式の方法を実現するためのコンピュータソフトウェア命令を記憶するコンピュータ記憶媒体を提供し、上記の形態を実行するためのプログラムを含む。
【００３３】
本願の上記の形態又は他の形態は、以下の実施例により分かりやすくなる。
【図面の簡単な説明】
【００３４】
【図１】本願の実施例の１つの応用シーンの模式図である。
【図２】スケジューリングに基づく上りデータ伝送方式の模式図である。
【図３】本願の実施例におけるデータ伝送方法のブロック図である。
【図４】本願の実施例におけるデータ伝送方法の他のブロック図である。
【図５】本願の実施例におけるデータ伝送のための端末デバイスのブロック図である。
【図６】本願の実施例におけるデータ伝送のためのネットワークデバイスのブロック図である。
【図７】本願の実施例におけるデータ伝送のための端末デバイスの他のブロック図である。
【図８】本願の実施例におけるデータ伝送のためのネットワークデバイスの他のブロック図である。
【発明を実施するための形態】
【００３５】
以下、図面を基づいて、本発明の実施例に係る技術案を説明する。
【００３６】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時間分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、未来の５Ｇシステムなどに応用されることができる。
【００３７】
特に、本願の実施例に係る技術案は、非直交マルチアクセス技術基づく各種の通信システム、例えば、スパースコード多重アクセス（ＳＣＭＡ：Ｓｐａｒｓｅ  Ｃｏｄｅ  Ｍｕｌｔｉｐｌｅ  Ａｃｃｅｓｓ）システム、低密度サイン（ＬＤＳ：Ｌｏｗ  Ｄｅｎｓｉｔｙ  Ｓｉｇｎａｔｕｒｅ）システム等に応用され、勿論、ＳＣＭＡシステム及びＬＤＳシステムは、通信分野で他の名称と言われても良く、さらに、本願の実施例に係る技術案は、非直交マルチアクセス技術によるマルチキャリア伝送システム、例えば、非直交マルチアクセス技術による直交周波数分割多重化（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチキャリア（ＦＢＭＣ：Ｆｉｌｔｅｒ  Ｂａｎｋ  Ｍｕｌｔｉ−Ｃａｒｒｉｅｒ）、一般的な周波数分割多重化（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重化（Ｆ−ＯＦＤＭ：Ｆｉｌｔｅｒｅｄ−ＯＦＤＭ）システム等にも応用される。
【００３８】
本願の実施例において、端末デバイスは、ユーザデバイス（ＵＥ：Ｕｓｅｒ  Ｅｑｕｉｐｍｅｎｔ）、アクセス端末、ユーザユニット、ユーザ局、移動局、移動台、リモート局、リモート端末、移動装置、ユーザ端末、端末、無線通信デバイス、ユーザエージェント又はユーザ装置であってもよい。アクセス端末は、携帯電話、移動電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）、無線通信機能を備えるハンドヘルド機器、コンピューティング装置、無線モデムに接続される他の処理デバイス、車載機器、ウェアラブル機器、未来の５Ｇネットワークの端末デバイス又は未来のＰＬＭＮ（Ｐｕｂｌｉｃ  Ｌａｎｄ  Ｍｏｂｉｌｅ  Ｎｅｔｗｏｒｋ）ネットワーク内の端末デバイス等であってもよい。本願はこれに限定しない。
【００３９】
本願の実施例におけるネットワークデバイスは、端末デバイスと通信するデバイスである。当該ネットワークデバイスは、ＧＳＭ又はＣＤＭＡの基地局（ＢＴＳ：Ｂａｓｅ  Ｔｒａｎｓｃｅｉｖｅｒ  Ｓｔａｔｉｏｎ）、ＷＣＤＭＡシステムの基地局（ＮＢ：ＮｏｄｅＢ）、ＬＴＥシステムの進化型基地局（Ｅｖｏｌｕｔｉｏｎａｌ  ＮｏｄｅＢ、ｅＮＢ又はｅＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）のワイヤレスコントローラー、中継局、アクセスポイント、車載機器、又はウェアラブル機器、未来の５Ｇネットワークのネットワーク側のデバイス、又は未来の進化したＰＬＭＮのネットワークデバイスであっても良い。本願はこれに限定しない。
【００４０】
図１は本願の実施例の応用シーンの模式図を示す。図１の通信システムは、端末デバイス１０及びネットワークデバイス２０を含む。ネットワークデバイス２０が端末デバイス１０に通信サービス及びコアネットワークへのアクセスを提供し、端末デバイス１０は、ネットワークデバイス２０からの同期信号、ブロードキャスト信号等を検索してネットワークにアクセスし、ネットワークと通信する。図１に示す矢印は、端末デバイス１０とネットワークデバイス２０とのセルラーリンクで上り／下り伝送を行うことを示す。
【００４１】
分かりやすくなるために、図２に基づいて、スケジューリングに基づく上りデータ伝送方式１００を説明する。図２に示すように、当該方法１００は、Ｓ１１０〜Ｓ１４０を含む。
【００４２】
Ｓ１１０において、端末デバイスは、スケジューリング要求（ＳＲ：ｓｃｈｅｄｕｌｉｎｇ  ｒｅｑｕｅｓｔ）を行い、端末に伝送しようとするデータがあることをネットワークデバイスに通知する。
【００４３】
Ｓ１２０において、ネットワークデバイスは、端末デバイスからのスケジューリング要求に応じて、対応する物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）において下り制御情報（ＤＣＩ：Ｄｏｗｎｌｉｎｋ  Ｃｏｎｔｒｏｌ  Ｉｎｆｏｒｍａｔｉｏｎ）を送信し、これに上りリソース許可が含まれる。
【００４４】
Ｓ１３０において、端末デバイスは、ネットワークデバイスからの上りリソース許可に応じて、対応する上りリソースにおいて上りデータを伝送し、ここで、端末デバイスのバッファーにデータが残る場合、当該データチャネルにおいてバッファー状態情報（ＢＳＲ：ｂｕｆｆｅｒ  ｓｔａｔｕｓ  ｒｅｐｏｒｔ）も伝送する。
【００４５】
Ｓ１４０において、ネットワークデバイスは、ＢＳＲに基づいて、上りリソース許可を再度に行います。そして、端末がその要求を送信しないまでこれを繰り返す。
【００４６】
具体的に、端末デバイスがあるイベントが発生し、通常、上りに送信しようとするデータが発生してキャッシュ領域に置き、この場合、これらのデータのために上りリソースを要求して送信する必要がある。ＳＲ制御チャネルでスケジューリング要求を送信し、又は物理ランダムアクセスチャネル(ＰＲＡＣＨ：Ｐｈｙｓｉｃａｌ  Ｒａｎｄｏｍ  Ａｃｃｅｓｓ  Ｃｈａｎｎｅｌ)を利用してもよく、この場合、競争方式でスケジューリング要求を送信し、ネットワークデバイスは、スケジューリングルールに従って、都合が良い場合、いくつかのリソースを割り当てＢＳＲ情報の送信に使用し、上りリソース許可で端末デバイスに通知し、端末デバイスは、ＢＳＲを送信して対応する論理チャネルセットにおいてどのぐらいのデータが送信するかをネットワークデバイスに通知し、上りスケジューリングは、ベアラではなく論理チャネルセットに対するものであり、そして、ネットワークデバイスは、端末デバイスが要求するリソースの状況に応じて、対応するリソースを割り当て、上りリソース許可で端末デバイスに通知し、端末デバイスは、自分の論理チャネルにおいて一定の優先順位に従って上りデータを送信する。
【００４７】
一般的に、端末デバイスが要求するリソースの大きさは、端末デバイスがネットワークデバイスに通知したデータ量のみを伝送することができ、実際に、ある部分のデータが端末デバイスにキャッシュされ、ネットワークデバイスが知らない。そして、この部分のデータの量が次回に報告し、ネットワークデバイスがこの部分のデータ量のデータにリソースを再度に割り当て、この場合、この部分のデータがリアルタイムに伝送されなく、その遅延を増大させ、特に、低遅延のサービスに対し、伝送性能を低下させる。
【００４８】
図３は本願の実施例におけるデータ伝送方法２００のブロック図を示す。図３に示すように、当該方法２００は、Ｓ２１０〜Ｓ２４０を含む。
【００４９】
Ｓ２１０において、端末デバイスがネットワークデバイスに第１制御シグナリングを送信し、当該第１制御シグナリングは、当該ネットワークデバイスがキャッシュされた第１上りデータに上りリソースを割り当て、当該端末デバイスに予備上りリソースを割り当てるように要求する。
【００５０】
Ｓ２２０において、当該端末デバイスは、当該ネットワークデバイスからの第２制御シグナリングを受信し、当該第２制御シグナリングは、当該第１上りデータに割り当てる上りリソース及び当該予備上りリソースを示す。
【００５１】
Ｓ２３０において、当該端末デバイスは、当該第１上りデータに割り当てる上りリソースにおいて当該第１上りデータを伝送する。
【００５２】
Ｓ２４０において、当該端末デバイスにキャッシュされた第２上りデータがある場合、当該予備上りリソースにおいて当該ネットワークデバイスに当該第２上りデータを送信し、当該第２上りデータは、当該第１上りデータの以外の上りデータである。
【００５３】
具体的に、端末デバイスは、データを送信する必要がある場合、通常、ネットワークデバイスに上りリソースを請求し、例えば、物理上り制御チャネル(ＰＵＣＣＨ：Ｐｈｙｓｉｃａｌ  Ｕｐｌｉｎｋ  Ｃｏｎｔｒｏｌ  Ｃｈａｎｎｅｌ)でネットワークデバイスにＳＲを送信し、ネットワークデバイスは、ＰＵＣＣＨにおいて端末デバイスからのＳＲ送信を監視する。端末デバイスは、ネットワークデバイスからの上りデータにリソースを割り当て、さらに、報告する上りデータにリソース、即ち、本願の実施例における予備上りリソースを割り当て、さらに、ネットワークデバイスは、報告する上りデータに割り当てる上りリソースを端末デバイスに通知し、また、報告しない上りデータに割り当てる予備上りリソースを端末デバイスに通知することで、端末デバイスは、報告するデータに割り当てる上りリソースを利用して報告するデータを伝送し、報告する上りデータ以外のデータが端末デバイスにキャッシュされた場合、当該予備上りリソースを利用して報告しない上りデータをネットワークデバイスに送信する。
【００５４】
そして、本願の実施例におけるデータ伝送方法は、システムの伝送性能を向上させることができる。
【００５５】
端末デバイスに割り当てる予備上りリソースを示すための情報は、ネットワークデバイスに別に送信しても良い。例えば、端末デバイスは、送信しようとするデータがなくても、自分の状態によって当該予備上りリソースをネットワークデバイスに要求し、送信する上りデータが一旦にある場合、要求する予備上りリソースを利用してデータを伝送し、本願の実施例は、伝送しようとするデータが必ずある場合に限定しない。
【００５６】
選択可能で、本願の実施例において、当該第２上りデータは、当該端末デバイスが当該ネットワークデバイスに当該第１制御シグナリングを送信した後にキャッシュした上りデータであり、又は、当該第２上りデータは、当該端末デバイスが当該ネットワークデバイスに当該第１制御シグナリングを送信する前にキャッシュした上りデータである。
【００５７】
なお、当該予備上りリソースは、端末デバイスがネットワークデバイスに第１制御シグナリングを送信する前に報告しないデータを伝送してもよいし、端末デバイスがネットワークデバイスに第１制御シグナリングを送信した後のデータを伝送してもよい。例えば、端末デバイスにデータ１及びデータ２が到達し、端末デバイスは、データ１のみをネットワークデバイスに報告するが、ネットワークデバイスにより割り当てる予備上りリソースにおいてデータ２を伝送してもよい。端末デバイスにデータ１が到達し、端末デバイスは、ネットワークデバイスにデータ１を報告した後、データ３も端末デバイスに到達し、この場合、端末デバイスは、同様に、当該予備上りリソースを利用してデータ３を伝送してもよい。
【００５８】
選択可能で、本願の実施例において、当該第１制御シグナリングは、第１情報及び第２情報を含み、当該第１情報は、当該ネットワークデバイスが当該第１上りデータに上りリソースを割り当てるように指示し、当該第２情報は、当該ネットワークデバイスが当該端末デバイスに当該予備上りリソースを割り当てるように指示する。例えば、当該第１情報は１ｂｉｔであり、上りリソースが必要ではないことを「０」で示し、上りリソースが必要であることを「１」で示す。当該第２情報は１ｂｉｔである場合、当該予備上りリソースの割り当てることが必要ではないことを「０」で示し、端末デバイスに当該予備上りリソースを割り当てることを「１」で示す。なお、いくつかのビットを利用して当該予備上りリソースの割り当ての要否又は上りリソースの要否を示すことは、予め設定されたものであってもよい。ネットワークデバイスと端末デバイスとは、第１制御シグナリング内のどのビットを第１情報とし、どのビットを第２情報とするかを予め約束してもよい。例えば、第１制御シグナリングが５ｂｉｔである場合、前の３つのｂｉｔを第１情報とし、次の２つのｂｉｔを第２情報としてもよい。
【００５９】
選択可能で、本願の実施例において、当該第１制御シグナリングは第１情報を含み、当該第１情報は、当該ネットワークデバイスが当該第１上りデータに上りリソースを割り当てるように指示し、当該第１制御シグナリングの伝送フォーマットは、当該ネットワークデバイスが当該端末デバイスに当該予備上りリソースを割り当てるように指示する。第１制御シグナリングの伝送フォーマットを利用して、端末デバイスがネットワークデバイスから、それに当該予備上りリソースを割り当てる必要があるかどうかを示す。当該伝送フォーマットは、制御シグナリングのビット数、制御シグナリングに含まれる内容等であってもよい。例えば、ある固定のビット数である第１制御シグナリングは、端末デバイスが当該予備上りリソースを要することを示す。具体的に、ネットワークデバイスと端末デバイスとが予め約束し、ネットワークデバイスが５ビットの当該第１制御シグナリングを受信する場合に、ネットワークデバイスによりが当該端末デバイスに当該予備上りリソースを割り当てる。なお、第１制御シグナリングは、他の伝送フォーマット、例えば、３ビット又は他の方式であってもよい。
【００６０】
選択可能で、本願の実施例において、当該第１制御シグナリングは、スケジューリング要求ＳＲ又はバッファー状態レポートＢＳＲである。
【００６１】
一般的に、ネットワークデバイスが各端末デバイスに１つの専用のＳＲリソースを割り当てＳＲを送信し、当該ＳＲリソースは、周期的なものであり、ｎ個のサブフレームに１回に出現する。端末デバイスは、上りデータを伝送するための上りリソースの要否をＳＲを介してネットワークデバイスに通知し、ネットワークデバイスは、ＳＲを受信した後、少なくともＢＳＲを送信するためのリソースを端末デバイスに割り当てる。
【００６２】
なお、端末デバイスがＳＲを介してネットワークデバイスに上りリソースを要求する場合、一般的に、送信する必要がある上りデータの有無のみを示すが、どのぐらいの上りデータを送信する必要があるかを示さない。端末デバイスは、その上りｂｕｆｆｅｒのうちのどのぐらいのデータを送信する必要があるかをＢＳＲを介してネットワークデバイスに通知し、この場合、ネットワークデバイスがどのぐらいの上りリソースを当該端末デバイスに割り当てるかを決定する。つまり、端末デバイスは、少なくとも一部の論理チャネルのバッファー状態をネットワークデバイスに知らせる必要がある。具体的に、以下のイベントが発生した場合、ＢＳＲ報告をトリガーする。１、端末デバイスの上りデータｂｕｆｆｅｒが空き、且つ新しいデータが到達し、例えば、端末デバイスが上りデータを最初に送信する。当該ＢＳＲを「Ｒｅｇｕｌａｒ  ＢＳＲ」と呼び、２、高優先度のデータが到達し、端末デバイスが１つのＢＳＲを送信し上り認証を待つ場合、この時、より高い優先度のデータを伝送する必要がある場合、端末デバイスは、ＢＳＲ報告をトリガーし、当該ＢＳＲを「Ｒｅｇｕｌａｒ  ＢＳＲ」と呼び、３、端末デバイスがネットワークデバイスに自分のｂｕｆｆｅｒ状態を更新し、ネットワークデバイスが端末デバイスに１つのｔｉｍｅｒを配置し、当該ｔｉｍｅｒがタイムアウトする場合、端末デバイスがＢＳＲ報告をトリガーする。当該ＢＳＲを「Ｐｅｒｉｏｄｉｃ  ＢＳＲ」と呼び、４、ネットワークデバイスが端末デバイスに１つのｔｉｍｅｒを配置し、当該ｔｉｍｅｒがタイムアウトし且つＵＥの任意の１つの論理チャネルがデータ送信可能である場合、ＢＳＲをトリガーする。当該ＢＳＲを「Ｒｅｇｕｌａｒ  ＢＳＲ」と呼ぶ。上記のいずれかのイベントが発生する場合、端末デバイスがネットワークデバイスにＢＳＲを送信する必要がある。
【００６３】
なお、ここのＳＲ又はＢＳＲが従来のＳＲ又はＢＳＲと異なり、ここのＳＲは、１つのビットだけではなく、複数のビットを有してもよく、例えば、ＳＲに２ｂｉｔを利用して少なくとも一部の論理チャネルのバッファー状態を示す。ここのＢＳＲは、少なくとも１つのｂｉｔを含み、ネットワークデバイスにより端末デバイスに予備上りリソースを割り当てる必要があるかを示す。
【００６４】
選択可能で、本願の実施例において、当該第１制御シグナリングは、端末デバイスにより提案する当該予備上りリソースの大きさ情報を含む。ネットワークデバイスは、端末デバイスにより提案する大きさに基づいて、当該予備上りリソースを割り当てもよいし、端末デバイスにより提案する大きさを採用しなく、当該上りリソースの大きさ、位置を自分に決定してもよい。
【００６５】
選択可能で、本願の実施例において、当該端末デバイスに当該第１上りデータの以外の上りデータがキャッシュされない場合、当該端末デバイスは、当該ネットワークデバイスに第３情報を送信し、当該第３情報は、当該予備上りリソースにおいて上りデータを伝送しないことを当該ネットワークデバイスに指示する。
【００６６】
以上のように、ネットワークデバイスに報告しない上りデータが端末デバイスにある場合、ネットワークデバイスが当該予備上りリソースを利用してこの部分の上りデータを伝送することができる。同様、ネットワークデバイスに報告しない上りデータが端末デバイスにない場合、当該予備上りリソースを使用しなくてもよい。さらに、端末デバイスは、当該予備上りリソースにおいてデータを伝送しないため監視しなくてもよいことをネットワークデバイスに通知してもよい。ネットワークデバイスは、端末デバイスからの通知を要らなく、データ伝送の有無を自分に監視してもよい。具体的に、端末デバイスは、物理チャネル又はメディアアクセス制御(ＭＡＣ：Ｍｅｄｉｕｍ  Ａｃｃｅｓｓ  Ｃｏｎｔｒｏｌ)層のデータチャネルを利用して、予備上りリソースにおいてデータを伝送しないことをネットワークデバイスに通知してもよい。  
そして、本願の実施例におけるデータ伝送方法は、報告する上りデータに上りリソースを割り当てるとともに、報告しない上りデータにも予備上りリソースを割り当てることで、報告しないデータがあっても、これをリアルタイムに伝送することができ、このデータによる遅延を引き起こさなく、システムの伝送性能を向上させることができる。
【００６７】
図４は本願の実施例におけるデータ伝送方法３００のブロック図を示す。図４に示すように、当該方法３００は、Ｓ３１０〜Ｓ３３０を含む。
【００６８】
Ｓ３１０において、ネットワークデバイスが端末デバイスにより送信された第１制御シグナリングを受信し、当該第１制御シグナリングは、当該ネットワークデバイスがキャッシュされた第１上りデータに上りリソースを割り当て、当該端末デバイスに予備上りリソースを割り当てるように指示する。
【００６９】
Ｓ３２０において、当該ネットワークデバイスが当該端末デバイスに第２制御シグナリングを送信し、当該第２制御シグナリングは、当該第１上りデータに割り当てる上りリソース及び当該予備上りリソースを示す。
【００７０】
Ｓ３３０において、当該ネットワークデバイスは、当該第１上りデータに割り当てる上りリソースにおいて当該第１上りデータを受信する。
【００７１】
具体的に、ネットワークデバイスが第１制御シグナリング、例えばＢＳＲを受信する場合、ネットワークデバイスは、従来のように報告するデータに上りリソースを割り当てるとともに、端末デバイスに予備上りリソースを割り当て、さらに、正常に割り当てる上りリソースと一緒に端末デバイスに送信し、端末デバイスは、当該予備上りリソースを利用して報告しないデータを伝送することができる。
【００７２】
そして、本願の実施例におけるデータ伝送方法は、システムの伝送性能を向上させることができる。
【００７３】
選択可能で、本願の実施例において、当該第１制御シグナリングは、第１情報及び第２情報を含み、当該第１情報は、当該ネットワークデバイスが当該第１上りデータにりリソースを割り当てるように指示し、当該第２情報は、当該ネットワークデバイスが当該端末デバイスに当該予備上りリソースを割り当てるように指示し、当該方法は、さらに、当該ネットワークデバイスが当該第１情報に基づいて、当該第１上りデータに割り当てる上りリソースを確定し、当該ネットワークデバイスが当該第２情報に基づいて、当該端末デバイスに割り当てる当該予備上りリソースを確定することを含む。
【００７４】
例えば、上りリソースが必要ではないことを「０」で示し、上りリソースが必要であることを「１」で示す。当該第２情報は１ｂｉｔである場合、当該予備上りリソースの割り当てることは必要ではないことを「０」で示し、端末デバイスに当該予備上りリソースを割り当てることを「１」で示す。ネットワークデバイスは、当該第１制御シグナリング内の第１情報が１、第２情報が１であると解析する場合、正常のリソース及び予備リソースを端末デバイスに割り当てる必要がある。
【００７５】
選択可能で、本願の実施例において、当該第１制御シグナリングが第１情報を含み、当該第１情報は、当該ネットワークデバイスが当該第１上りデータに上りリソースを割り当てるように指示し、当該方法は、さらに、当該ネットワークデバイスが当該第１情報に基づいて、当該第１上りデータに上りリソースを割り当てると確定し、当該ネットワークデバイスが当該第１制御シグナリングの伝送フォーマットに基づいて、当該端末デバイスに当該予備上りリソースを割り当てると確定することを含む。
【００７６】
当該伝送フォーマットは、制御シグナリングのビット数、制御シグナリングの内容であってもよい。同様、端末デバイスとネットワークデバイスとは、第１制御シグナリングのビット数が５である場合に予備上りリソースが必要であると約定しており、そして、ネットワークデバイスは、端末デバイスからの第１制御シグナリングが５つのビットであると解析する場合、端末デバイスに予備上りリソースを割り当てると確定する。
【００７７】
選択可能で、本願の実施例において、当該第１制御シグナリングは、スケジューリング要求ＳＲ又はバッファー状態レポートＢＳＲである。
【００７８】
なお、ここのＳＲ又はＢＳＲが従来のＳＲ又はＢＳＲと異なり、ここのＳＲは、１つのビットのみではなく、複数のビットを有してもよく、例えば、ＳＲに２ｂｉｔを利用して少なくとも一部の論理チャネルのバッファー状態を示す。ここのＢＳＲは、少なくとも１つのｂｉｔを含み、ネットワークデバイスにより端末デバイスに予備上りリソースを割り当てる必要があるかを示す。
【００７９】
選択可能で、本願の実施例において、当該方法は、さらに、当該ネットワークデバイスが当該端末デバイスに当該予備上りリソースを割り当てることを含む。さらに、当該第１制御シグナリングは、当該端末デバイスの所望の当該予備リソースの大きさ情報を含み、当該ネットワークデバイスが当該端末デバイスに当該予備上りリソースを割り当てることは、当該ネットワークデバイスが当該大きさ情報に基づいて、当該端末デバイスに当該予備上りリソースを割り当てることを含む。
【００８０】
選択可能で、本願の実施例において、当該ネットワークデバイスが当該予備上りリソースにおいて当該端末デバイスの上りデータ伝送の有無を監視し、上りデータの伝送を検出した場合、当該ネットワークデバイスが当該予備上りリソースにおいて第２上りデータを受信し、当該第２上りデータは、当該第１上りデータの以外の上りデータである。
【００８１】
以上のように、当該第２上りデータは、当該端末デバイスが当該ネットワークデバイスに当該第１制御シグナリングを送信した後にキャッシュした上りデータであり、又は、当該第２上りデータは、当該端末デバイスが当該ネットワークデバイスに当該第１制御シグナリングを送信する前にキャッシュした上りデータである。
【００８２】
選択可能で、本願の実施例において、当該方法は、さらに、当該ネットワークデバイスが当該端末デバイスからの第３情報を受信することを含み、当該第３情報は、当該予備上りリソースにおいて上りデータを伝送しないことを示す。
【００８３】
選択可能で、本願の実施例において、当該第３情報は、メディアアクセス制御ＭＡＣ層シグナリング又は物理層シグナリングに搬送される。
【００８４】
そして、本願の実施例におけるデータ伝送方法は、報告する上りデータに上りリソースを割り当てるとともに、報告しない上りデータにも予備上りリソースを割り当てることで、報告しないデータがあっても、これをリアルタイムに伝送することができ、このデータによる遅延を引き起こさなく、システムの伝送性能を向上させることができる。
【００８５】
なお、ネットワークデバイス側に記載される特性、機能等は、端末デバイスの特性、機能等に対応する。つまり、端末デバイスがネットワークデバイスにどの情報を送信し、ネットワークデバイスがそのような情報を受信する。簡潔のため、ここで説明を省略する。
【００８６】
なお、本発明の各実施例において、上記各過程の番号が実行順番の前後を意味しなく、各過程の実行順番は、その機能及び組み込み論理に決定され、本発明の実施例の実行過程を限定しない。
【００８７】
図５は本願の実施例におけるデータ伝送のための端末デバイス４００のブロック図を示す。図５に示すように、当該端末デバイス４００は、第１送信ユニット４１０、受信ユニット４２０及び第２送信ユニット４３０を含む。
【００８８】
第１送信ユニット４１０は、ネットワークデバイスに第１制御シグナリングを送信するように構成され、前記第１制御シグナリングは、前記ネットワークデバイスがキャッシュされた第１上りデータに上りリソースを割り当て、前記端末デバイスに予備上りリソースを割り当てるように指示する。
【００８９】
受信ユニット４２０は、前記ネットワークデバイスにより送信された第２制御シグナリングを受信するように構成され、前記第２制御シグナリングは、前記第１上りデータに割り当てる上りリソース及び前記予備上りリソースを示す。
【００９０】
第２送信ユニット４３０は、前記第１上りデータに割り当てる上りリソースにおいて前記第１上りデータを伝送し、さらに、前記端末デバイスが第２上りデータをキャッシュしている場合、前記予備上りリソースにおいて前記ネットワークデバイスに前記第２上りデータを送信するように構成され、前記第２上りデータが前記第１上りデータの以外の上りデータである。
【００９１】
そして、本願の実施例は、システムの伝送性能を向上させることができるデータ伝送のための端末デバイスを提供する。
【００９２】
選択可能で、本願の実施例において、前記第２上りデータは、前記端末デバイスが前記ネットワークデバイスに前記第１制御シグナリングを送信した後にキャッシュした上りデータであり、又は、前記端末デバイスが前記ネットワークデバイスに前記第１制御シグナリングを送信する前にキャッシュした上りデータである。
【００９３】
選択可能で、本願の実施例において、前記第１制御シグナリングは、第１情報及び第２情報を含み、前記第１情報は、前記ネットワークデバイスが前記第１上りデータに上りリソースを割り当てるように指示し、前記第２情報は、前記ネットワークデバイスが前記端末デバイスに前記予備上りリソースを割り当てるように指示する。
【００９４】
選択可能で、本願の実施例において、前記第１制御シグナリングは、第１情報を含み、前記第１情報は、前記ネットワークデバイスが前記第１上りデータに上りリソースを割り当てるように指示し、前記第１制御シグナリングの伝送フォーマットは、前記ネットワークデバイスが前記端末デバイスに前記予備上りリソースを割り当てるように指示する。
【００９５】
選択可能で、本願の実施例において、前記第１制御シグナリングは、スケジューリング要求ＳＲ又はバッファー状態レポートＢＳＲである。
【００９６】
選択可能で、本願の実施例において、前記第１制御シグナリングは、前記端末デバイスの所望の前記予備リソースの大きさ情報を含む。
【００９７】
選択可能で、本願の実施例において、前記第１送信ユニット４１０は、さらに、前記端末デバイスが前記第１上りデータの以外の上りデータをキャッシュしない場合、前記ネットワークデバイスに第３情報を送信するように構成され、前記第３情報は、前記予備上りリソースにおいて上りデータを伝送しないことを前記ネットワークデバイスに指示する。
【００９８】
選択可能で、本願の実施例において、前記第３情報は、メディアアクセス制御ＭＡＣ層シグナリング又は物理層シグナリングに搬送される。
【００９９】
なお、本願の実施例におけるデータ伝送のための端末デバイス４００は、本願の方法の実施例における端末デバイスに対応し、端末デバイス４００の各ユニットの操作及び／又は機能は、図３の方法２００の端末デバイスのプロセスを実行し、簡潔のため、ここで説明を省略する。
【０１００】
図６は本願の実施例におけるデータ伝送のためのネットワークデバイス５００のブロック図を示す。図６に示すように、当該ネットワークデバイス５００は、第１受信ユニット５１０、送信ユニット５２０及び第２受信ユニット５３０を含む。
【０１０１】
第１受信ユニット５１０は、端末デバイスにより送信された第１制御シグナリングを受信するように構成され、前記第１制御シグナリングは、前記ネットワークデバイスがキャッシュされた第１上りデータに上りリソースを割り当て、前記端末デバイスに予備上りリソースを割り当てるように指示する。
【０１０２】
送信ユニット５２０は、前記端末デバイスに第２制御シグナリングを送信するように構成され、前記第２制御シグナリングは、前記第１上りデータに割り当てる上りリソース及び前記予備上りリソースを示す。
【０１０３】
第２受信ユニット５３０は、前記第１上りデータに割り当てる上りリソースにおいて前記第１上りデータを受信するように構成される。
【０１０４】
そして、本願の実施例は、システムの伝送性能を向上させることができるデータ伝送のためのネットワークデバイスを提供する。
【０１０５】
選択可能で、本願の実施例において、前記第１制御シグナリングは、第１情報及び第２情報を含み、前記第１情報は、前記ネットワークデバイスが前記第１上りデータに上りリソースを割り当てるように指示し、前記第２情報は、前記ネットワークデバイスが前記端末デバイスに前記予備上りリソースを割り当てるように指示し、前記ネットワークデバイスは、第１確定ユニット５４０をさらに含み、第１確定ユニット５４０は、前記第１情報に基づいて、前記第１上りデータに上りリソースを割り当てると確定するように構成され、第２確定ユニット５５０は、前記第２情報に基づいて、前記端末デバイスに前記予備上りリソースを割り当てると確定するように構成される。
【０１０６】
選択可能で、本願の実施例において、前記第１制御シグナリングは、第１情報を含み、前記第１情報は、前記ネットワークデバイスが前記第１上りデータに上りリソースを割り当てるように指示し、前記ネットワークデバイスは、さらに、第３確定ユニット５６０を含み、第３確定ユニット５６０は、前記第１情報に基づいて、前記第１上りデータに上りリソースを割り当てると確定するように構成され、第４確定ユニット５７０は、前記第１制御シグナリングの伝送フォーマットに基づいて、前記端末デバイスに前記予備上りリソースを割り当てると確定するように構成される。
【０１０７】
選択可能で、本願の実施例において、前記第１制御シグナリングは、スケジューリング要求ＳＲ又はバッファー状態レポートＢＳＲである。
【０１０８】
選択可能で、本願の実施例において、前記ネットワークデバイスは、割当ユニット５８０を含み、割当ユニット５８０は、前記端末デバイスに前記予備上りリソースを割り当てるように構成される。
【０１０９】
選択可能で、本願の実施例において、前記第１制御シグナリングは、前記端末デバイスの所望の前記予備リソースの大きさ情報を含み、前記割当ユニット５８０は、具体的に、前記大きさ情報に基づいて、前記端末デバイスに前記予備上りリソースを割り当てるように構成される。
【０１１０】
選択可能で、本願の実施例において、前記ネットワークデバイスは、監視ユニット５９０をさらに含み、監視ユニット５９０は、前記予備上りリソースにおいて前記端末デバイスが上りデータを伝送するかどうかを監視するように構成され、前記送信ユニット５２０は、さらに、上りデータの伝送を検出した場合、前記予備上りリソースで第２上りデータを受信するように構成され、前記第２上りデータが前記第１上りデータの以外の上りデータである。
【０１１１】
選択可能で、本願の実施例において、前記第２上りデータは、前記端末デバイスが前記ネットワークデバイスに前記第１制御シグナリングを送信した後にキャッシュした上りデータであり、又は、前記端末デバイスが前記ネットワークデバイスに前記第１制御シグナリングを送信する前にキャッシュした上りデータである。
【０１１２】
選択可能で、本願の実施例において、前記第１受信ユニット５１０は、さらに、前記端末デバイスにより送信された第３情報を受信するように構成され、前記第３情報は、前記予備上りリソースにおいて上りデータを伝送しないことを示す。
【０１１３】
選択可能で、本願の実施例において、前記第３情報は、メディアアクセス制御ＭＡＣ層シグナリング又は物理層シグナリングに搬送される。
【０１１４】
なお、本願の実施例におけるデータ伝送のためのネットワークデバイス５００は、本願の方法の実施例におけるネットワークデバイスに対応し、ネットワークデバイス５００の各ユニットの操作及び／又は機能は、図４の方法３００の端末デバイスのプロセスを実行し、簡潔のため、ここで説明を省略する。
【０１１５】
図７に示すように、本願の実施例は、また、データ伝送のための端末デバイス６００を提供し、当該端末デバイス６００は、図５の端末デバイス４００であってもよく、図３の方法１００に対応する端末デバイスの内容を実行する。当該端末デバイス６００は、入力インタフェース６１０、出力インタフェース６２０、プロセッサ６３０及びメモリ６４０を含み、当該入力インタフェース６１０、出力インタフェース６２０、プロセッサ６３０及びメモリ６４０は、バスシステムで接続される。前記メモリ６４０は、プログラム、命令、コードを記憶する。前記プロセッサ６３０は、前記メモリ６４０内のプログラム、命令、コードを実行して、入力インタフェース６１０が信号を受信し、出力インタフェース６２０が信号を送信するように制御し、上記の方法の実施例の操作を実現する。
【０１１６】
そして、本願の実施例におけるデータ伝送のための端末デバイスは、システムの伝送性能を向上させることができる。  
なお、本発明の実施例において、当該プロセッサ６３０が中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。汎用プロセッサは、マイクロプロセッサー、いかなる通常のプロセッサー等であってもよい。
【０１１７】
当該メモリ６４０は、読み取り専用メモリ及びランダムアクセスメモリを含み、プロセッサ６３０に命令及びデータを提供する。メモリ６４０は、不揮発性ランダムアクセスメモリを含む。例えば、メモリ６４０は、デバイスタイプの情報を含む。
【０１１８】
実現プロセスにおいて、上記の方法の各ステップは、プロセッサ６３０のハードウェアの集積論理回路又はソフトウェア形態の命令によって実現することができる。本願の実施例を参照して開示される方法のステップは、ハードウェアプロセッサによって実行してもよいし、プロセッサ内のハードウェアとソフトウェアモジュールグループとの組合せによって実行してもよい。ソフトウェアモジュールは、ランダムメモリ、フラッシュメモリ、読取専用メモリ、プログラム可能な読取専用メモリ又は電気的消去／プログラマブル可能なメモリ、レジスター等の記憶媒体に存在してもよい。当該記憶媒体がメモリ６４０に存在し、プロセッサ６３０がメモリ６４０の情報を読み取り、そのハードウェアで上記の方法のステップを行う。重複を回避するために、ここで説明を省略する。
【０１１９】
具体的な実施形態において、端末デバイス４００の受信ユニット４２０が図７の入力インタフェース６１０により実現され、端末デバイス４００の第１送信ユニット４１０及び第２送信ユニット４３０は、図７の出力インタフェース６２０により実現される。
【０１２０】
図８に示すように、本願の実施例は、また、データ伝送のためのネットワークデバイス７００を提供し、当該ネットワークデバイス７００は、図６のネットワークデバイス５００であってもよく、図４の方法３００に対応するネットワークデバイスの内容を実行する。当該ネットワークデバイス７００は、入力インタフェース７１０、出力インタフェース７２０、プロセッサ７３０及びメモリ７４０を含み、当該入力インタフェース７１０、出力インタフェース７２０、プロセッサ７３０及びメモリ７４０は、バスシステムで接続される。前記メモリ７４０は、プログラム、命令、コードを記憶する。前記プロセッサ７３０は、前記メモリ７４０内のプログラム、命令、コードを実行して、入力インタフェース７１０が信号を受信し、出力インタフェース７２０が信号を送信するように制御し、上記の方法の実施例の操作を実現する。
【０１２１】
そして、本願の実施例におけるデータ伝送のためのネットワークデバイスは、システムの伝送性能を向上させることができる。  
なお、本発明の実施例において、当該プロセッサ７３０が中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。汎用プロセッサは、マイクロプロセッサー、いかなる通常のプロセッサー等であってもよい。
【０１２２】
当該メモリ７４０は、読み取り専用メモリ及びランダムアクセスメモリを含み、プロセッサ７３０に命令及びデータを提供する。メモリ７４０は、不揮発性ランダムアクセスメモリを含む。例えば、メモリ７４０は、デバイスタイプの情報を含む。
【０１２３】
実現プロセスにおいて、上記の方法の各ステップは、プロセッサ７３０のハードウェアの集積論理回路又はソフトウェア形態の命令によって実現することができる。本願の実施例を参照して開示される方法のステップは、ハードウェアプロセッサによって実行してもよいし、プロセッサ内のハードウェアとソフトウェアモジュールグループとの組合せによって実行してもよい。ソフトウェアモジュールは、ランダムメモリ、フラッシュメモリ、読取専用メモリ、プログラム可能な読取専用メモリ又は電気的消去／プログラマブル可能なメモリ、レジスター等の記憶媒体に存在してもよい。当該記憶媒体がメモリ７４０に存在し、プロセッサ７３０がメモリ７４０の情報を読み取り、そのハードウェアで上記の方法のステップを行う。重複を回避するために、ここで説明を省略する
具体的な実施形態において、ネットワークデバイス５００の第１確定ユニット５４０、第２確定ユニット５５０、第３確定ユニット５６０、第４確定ユニット５７０、割当ユニット５８０及び監視ユニット５９０は、図８のプロセッサ７３０により実現され、送信ユニット５２０が図８の出力インタフェース７２０により実現され、第１受信ユニット５１０及び第２受信ユニット５３０は、図８の入力インタフェース７１０により実現される。
【０１２４】
本願に開示されている実施例に説明されている各例示的なユニット及びアルゴリズムのステップを結合し、電子ハードウェア、又はコンピュータソフトウェアと電子ハードウェアの結合を用いて実現することができることを、当業者であれば理解できる。これらの機能がハードウェアの形式かあるいはソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１２５】
当業者は、上記のシステム、装置及びユニットの具体的な動作過程が、上記の方法の実施例に対する過程を参照されると理解され、ここで説明を省略する。
【０１２６】
本発明に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互いなカップリング、又は直接のカップリング、又は通信接続は、幾つかのインターフェース、装置、又はユニットの間接のカップリング又は通信によって接続されても良く、電気的、機械的、又はその他の形式であっても良い。
【０１２７】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１２８】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。上記のユニットは、ハードウェアの機能ユニットによって実現してもよいし、ソフトウェアの機能ユニットよって実現してもよい。
【０１２９】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１３０】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
0006882502.tif 000002
【図２】
0006882502.tif 000003
【図３】
0006882502.tif 000004
【図４】
0006882502.tif 000005
【図５】
0006882502.tif 000006
【図６】
0006882502.tif 000007
【図７】
0006882502.tif 000008
【図８】
0006882502.tif 000009